(57)【要約】【課題】  従来、計量器は目的の量をぴったり計るまでに増減と目盛のチェックを繰り返す手間がかかることが多かった。【解決手段】内容物を減らしながら同時に計量できる計量器を提供する。【選択図】図２
2012068221.tif 000002
【特許請求の範囲】
【請求項１】
計量器の注ぎ口６を含む注ぎ平面７と計量器壁５とが交わる曲線上に目盛９を表示する事を特徴とした計量器。
【請求項２】
残り分量１２とこぼし分量１３を表す数値のうち少なくとも一方が目盛９に付記されている事を特徴とする請求項１に記載の計量器。
【請求項３】
少なくとも１つの対象について比重によって計算された該当重量を付記した事を特徴とする請求項１または２に記載の計量器。
【発明の詳細な説明】
【技術分野】
【０００１】  この発明は計量スプーン、計量レードル、計量カップ及び炊飯器内釜など計量機能を持つ容器に関する。
【背景技術】
【０００２】  計量スプーンは調味料の計量や洗濯用洗剤などの計量に用いる。計量カップも同様、更に炊飯器内釜やボールなども計量カップの機能を持つ。
調理ではレシピの「砂糖、大１」などの表示に従って該当する計量スプーンを大中小から選んで取り出し分量を計るのが従来の手順である。現在では１つの計量スプーンで大中小を兼ねるものがあり、レードルなども含め、目盛９が２，３重に打ってあったり、スライド式であったりする。洗剤に付属したスプーンでは目盛９だけでなく分かりやすい段差が設けられているものもある。
計量カップは目盛９が何重にも打ってあることは勿論のこと、上方から覗き込んで作業をしても目盛９が読みやすいように斜め帯上に定規のように目盛９が配されているものもある。
【先行技術文献】
【特許文献】
【０００３】  特開２００７−２６３９３６  特開２００５−１７９５７６
【発明の概要】
【発明が解決しようとする課題】
【０００４】  従来計量スプーンやカップは水平状態で計量を行う様目盛９が打たれている。しかし例えば、おそらく家庭に於いては最も頻繁に計量されるであろう水の場合、実は作業が面倒なのである。まず蛇口の下に計量器１を持っていき、目星の量を入れてから計量器１を水平な所に置いて目盛９と照らして目的の量かどうかを確認する。足りなければまた蛇口から水を足し、多ければ捨てて、再度台の上に置いて確認する。しかしこれがなかなか一度や二度では決まらず繰り返す事が必須であった。また、水平な台に置いたまま計量する場合も内容物を入れ過ぎた場合、目的の量まで減らすのに同様の問題があった。内容物の増減と計量が同時に行えないからこういう事が起きる。
【課題を解決するための手段】
【０００５】  分量を減らしながら計量ができる計量器１を提供する。計量器１の注ぎ口６を通過する目盛ライン８を設ける。後述の通り、目盛ライン８は注ぎ口６を含む注ぎ平面７と計量器壁５との交わる曲線で、この曲線上に目盛９を表示する。計量時には最初に多めの分量を入れ、目的の分量ぴったりになるまで目盛９を見つつこぼしながら計量する。この時目的の分量の目盛ライン８は水平となっている。このように残り分量１２を計る方法を計量方法１と呼ぶ。【０００６】  また、計量器１の全容量をＡ、一旦計量器を満杯にしてからこぼした分量をＢ、容器内の残り分量１２をＣとすると、Ａ＝Ｂ＋Ｃという式が成立する。この関係を利用して各目盛９にこぼし分量１３を付記しておくと満杯の状態からどれだけの分量をこぼしたかが一目でわかる。この様にこぼし量１３を計る方法を計量方法２と呼ぶ。目盛９ごとに残り分量１２、こぼし分量１３の両方を付記おけば、常に２種類の計量方法で簡単に計ることができる。【０００７】  本発明に於ける言葉を説明する。
計量スプーン２にはレードルなど、計量カップ３には炊飯器内釜や鍋、ボールなども含め、計量する事ができる容器一般を発明の対象とする。またこれらを総称して計量器１と呼ぶこととする。
計量器１を傾けわずかにこぼしながら計量する際に内容物の上面が構成する概平面を注ぎ平面７、注ぎ平面７と計量器壁５との交わる曲線を目盛ライン８、計量器１に残っている内容物の量を残り分量１２、計量器１に満杯に入った状態からこぼした内容物の量をこぼし分量１３と呼ぶこととする。【０００８】  注ぎ口６とは計量器１から内容物を他の容器などに注ぐあるいはこぼす際に内容物が通過する計量器１の縁の部分を指す。注ぎ口６には吸口状の突起など他の縁とは異なる特徴がある場合もあるが、逆にこぼす際に通過させた部分を注ぎ口６と呼ぶ場合もある。従って、一つの計量器１に複数の注ぎ口６が存在することもある。
注ぎ口６を含む、または通過する平面とは、内容物をごくわずかにこぼしながら計量する際にその内容物の上面が形成する概平面を指し、それは必然的にすなわち前記注ぎ平面７となる。表面張力や注ぎ口６、計量器などの形状によって図形的に多少不正確になる場合も注ぎ平面７に該当するものとする。【０００９】  満杯の状態からある量をこぼした状態で、内容物の分量を残り分量１２、こぼした分量をこぼし分量１３と呼ぶ。目盛ライン８上に目盛９を表示するが、各目盛９に対して付記される数値１０は、前記こぼし分量１３または残り分量１２を示す。更にこぼし分量１３、残り分量１２にそれぞれ該当する重量１４を示すこともある。また、洗濯洗剤の様に洗剤そのものの分量ではなく洗濯物や洗濯機水量を表記することもある。いずれの場合もそれらを付記する位置や個数は必要に応じて変更する。また残り分量１２、こぼし分量１３の表現はそれぞれ、前述などの該当する量に置き換えたものを含む。
【発明の効果】
【００１０】・計量スプーン２が１つで済み、作業が効率化される。
・こぼしながら計量できる。何度も水平にして確認しなおす必要がなく素早く正確な計量ができる。（容器の上で計測すれば無駄は発生しない）
・シンプルなので使いやすく清潔である。
・炊飯器内釜４で水量を合わせる時など重いものを計る時も一度で済むので楽である。
・注ぎ口６と反対側の計量器壁５は従来と比べて目盛９と目盛９の間隔が広く取れるため、計量器１が小さくても目盛９の数を増やし易い。
・計量方法２では対象の材料を加える分量が決まっていて、何度かに分けて少しずつ材料を足していくお菓子づくりのときなどに、満杯の状態からどれだけ別容器にに移したか人目でわかる計量器１は大変便利である。
・計量方法２では使った分量がこぼし分量１３として計算しなくてもわかるので、実験やお菓子づくりなどでデータを取りやすい。
・実施例４のように重さ表示があると更に便利である。普通の計量器１は大きさで計るが、レシピの表示分量が重量である場合も多くあり、併記してあると使いやすい。
【図面の簡単な説明】
【００１１】
【図１】実施例１計量スプーン斜視図
【図２】実施例２計量カップ斜視図
【図３】こぼれしながら計量している状態の実施例３計量カップ斜視図
【発明を実施するための形態】
【実施例１】
【００１２】  計量スプーン２の実施例１を図１で示す。ここでは注ぎ口６は先端中央になっているが、利き手で持って手前側に来るように注ぎ口６を設けても良い。基本形状はスプーンと変わらないので洗いやすく清潔である。図１では目盛ライン８のほぼ全体に目盛９が施されているが、平面を一意的に決定できる目盛９があればよい。短い目盛９でも注ぎ口６を入れて３箇所あれば良いがあまり短い目盛９だと目盛９合わせが難しい。
【実施例２】
【００１３】  計量カップ３の実施例２を図２に示す。
注ぎ口６の形状は吸口形状とは限らず、また一箇所でなく計量器の縁のどこを注ぎ口６としても良い。注ぎ口６の形を、計量する対象の性質によって変えて、液垂れを防ぐなどして更に計量しやすくすると良い。
【実施例３】  目盛ライン８を分量ごとに点線、破線などで区別すると分かりやすい。目盛９の上下にそれぞれ計量方法２、計量方法１の分量を記載する。この時目盛９の上下を、柄や色を変えることで明確に分けると目盛９を読みやすい。また従来通りの水平な目盛も同色や同柄で併記すると更に使いやすい。
【実施例４】
【００１４】  １種類〜数種類の材料専用の計量器１では、容積あるいは体積だけではなく、重さも表示すると便利である。各目盛９に対して、計る対象材料のこぼし分量１３、残り分量１２にそれぞれ該当する重量１４を併記する。
【実施例５】
【００１５】  炊飯器内釜４は計量カップ３と同様であるが、普通目盛に付記される数値１０はお米の合数でありそれに合う水量もお米の量で表示されることが多いので本発明でもそのように表記する。
【実施例６】
【００１６】  洗濯洗剤専用の計量スプーン２では、洗剤の量ではなく洗濯物あるいは洗濯機水量を表示することが多い。計量方法１で洗剤容器内で計量後洗濯機に投入すると簡単である。
【符号の説明】
【００１７】１．計量器
２．計量スプーン
３．計量カップ
４．炊飯器内釜
５．計量器壁
６．注ぎ口
７．注ぎ平面
８．目盛ライン
９．目盛
１０．数値
１１．全体容量
１２．残り分量
１３．こぼし分量
１４．該当重量
【図１】
2012068221.tif 000003
【図２】
2012068221.tif 000004
【図３】
2012068221.tif 000005